【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
端末と通信する基地局であって、
前記端末に対するデータ信号を復調するための参照信号を、前記端末に送信する送信部を備え、
前記参照信号で用いられる疑似ランダム系列は、前記端末に固有の情報としてＲＲＣシグナリングを通じて前記基地局から前記端末に通知される値に基づいて設定されるパラメータを少なくとも用いて生成されることを特徴とする基地局。
【請求項２】
前記疑似ランダム系列は、ＰＤＣＣＨシグナリングを通じて前記基地局から前記端末に通知されるスクランブルＩＤをさらに用いて生成されることを特徴とする請求項１に記載の基地局。
【請求項３】
前記疑似ランダム系列は、ＲＲＣシグナリングを通じて前記基地局から前記端末に通知されるスクランブルＩＤをさらに用いて生成されることを特徴とする請求項１に記載の基地局。
【請求項４】
前記疑似ランダム系列は、予め規定されているスクランブルＩＤをさらに用いて生成されることを特徴とする請求項１に記載の基地局。
【請求項５】
前記パラメータは、前記ＲＲＣシグナリングを通じて前記基地局から前記端末に通知される複数の値の中から、ＰＤＣＣＨシグナリングを通じて前記基地局から前記端末に通知される制御情報により設定される値であることを特徴とする請求項１ないし４のいずれかに記載の基地局。
【請求項６】
前記データ信号は、ＰＤＳＣＨで送信されることを特徴とする請求項１ないし５のいずれかに記載の基地局。
【請求項７】
前記データ信号は、Ｘ−ＰＤＣＣＨで送信され、
前記Ｘ−ＰＤＣＣＨの時間方向の領域は、前記ＲＲＣシグナリングを通じて前記基地局から前記端末に通知されるＯＦＤＭシンボルのスタート位置により設定できることを特徴とする請求項１ないし５のいずれかに記載の基地局。
【請求項８】
基地局と通信する端末であって、
前記基地局から送信される前記端末に対するデータ信号を復調するための参照信号を、前記基地局から受信する受信部を備え、
前記参照信号で用いられる疑似ランダム系列は、前記端末に固有の情報としてＲＲＣシグナリングを通じて前記基地局から前記端末に通知される値に基づいて設定されるパラメータを少なくとも用いて生成されることを特徴とする端末。
【請求項９】
端末と基地局とが通信する通信システムであって、
前記基地局は、
前記端末に対するデータ信号を復調するための参照信号を、前記端末に送信する送信部を備え、
前記端末は、
前記参照信号を、前記基地局から受信する受信部を備え、
前記参照信号で用いられる疑似ランダム系列は、前記端末に固有の情報としてＲＲＣシグナリングを通じて前記基地局から前記端末に通知される値に基づいて設定されるパラメータを少なくとも用いて生成されることを特徴とする通信システム。
【請求項１０】
端末と通信する基地局の通信方法であって、
前記端末に対するデータ信号を復調するための参照信号を、前記端末に送信するステップを有し、
前記参照信号で用いられる疑似ランダム系列は、前記端末に固有の情報としてＲＲＣシグナリングを通じて前記基地局から前記端末に通知される値に基づいて設定されるパラメータを少なくとも用いて生成されることを特徴とする通信方法。
【請求項１１】
基地局と通信する端末の通信方法であって、
前記端末に対するデータ信号を復調するための参照信号を、前記基地局から受信するステップを有し、
前記参照信号で用いられる疑似ランダム系列は、前記端末に固有の情報としてＲＲＣシグナリングを通じて前記基地局から前記端末に通知される値に基づいて設定されるパラメータを少なくとも用いて生成されることを特徴とする通信方法。
【請求項１２】
端末と通信する基地局に用いられる集積回路であって、
前記端末に対するデータ信号を復調するための参照信号を、前記端末に送信する機能を実現し、
前記参照信号で用いられる疑似ランダム系列は、前記端末に固有の情報としてＲＲＣシグナリングを通じて前記基地局から前記端末に通知される値に基づいて設定されるパラメータを少なくとも用いて生成されることを特徴とする集積回路。
【請求項１３】
基地局と通信する端末に用いられる集積回路であって、
前記端末に対するデータ信号を復調するための参照信号を、前記基地局から受信する機能を実現し、
前記参照信号で用いられる疑似ランダム系列は、前記端末に固有の情報としてＲＲＣシグナリングを通じて前記基地局から前記端末に通知される値に基づいて設定されるパラメータを少なくとも用いて生成されることを特徴とする集積回路。
【手続補正２】
【補正対象書類名】明細書
【補正対象項目名】００１０
【補正方法】変更
【補正の内容】
【００１０】
（１）この発明は上述した課題を解決するためになされたもので、本発明の一態様による基地局は、端末と通信する基地局であって、前記端末に対するデータ信号を復調するための参照信号を、前記端末に送信する送信部を備え、前記参照信号で用いられる疑似ランダム系列が、前記端末に固有の情報としてＲＲＣシグナリングを通じて前記基地局から前記端末に通知される値に基づいて設定されるパラメータを少なくとも用いて生成されることを特徴とする。
【手続補正３】
【補正対象書類名】明細書
【補正対象項目名】００１１
【補正方法】変更
【補正の内容】
【００１１】
（２）また、本発明の一態様による基地局装置は、上記の基地局装置であって、前記疑似ランダム系列が、ＰＤＣＣＨシグナリングを通じて前記基地局から前記端末に通知されるスクランブルＩＤをさらに用いて生成されることを特徴とする。
【手続補正４】
【補正対象書類名】明細書
【補正対象項目名】００１２
【補正方法】変更
【補正の内容】
【００１２】
（３）また、本発明の一態様による基地局装置は、上記の基地局装置であって、前記疑似ランダム系列が、ＲＲＣシグナリングを通じて前記基地局から前記端末に通知されるスクランブルＩＤをさらに用いて生成されることを特徴とする。
【手続補正５】
【補正対象書類名】明細書
【補正対象項目名】００１３
【補正方法】変更
【補正の内容】
【００１３】
（４）また、本発明の一態様による基地局装置は、上記の基地局装置であって、前記疑似ランダム系列が、予め規定されているスクランブルＩＤをさらに用いて生成されることを特徴とする。
【手続補正６】
【補正対象書類名】明細書
【補正対象項目名】００１４
【補正方法】変更
【補正の内容】
【００１４】
（５）また、本発明の一態様による基地局装置は、上記の基地局装置であって、前記パラメータが、前記ＲＲＣシグナリングを通じて前記基地局から前記端末に通知される複数の値の中から、ＰＤＣＣＨシグナリングを通じて前記基地局から前記端末に通知される制御情報により設定される値であることを特徴とする。
【手続補正７】
【補正対象書類名】明細書
【補正対象項目名】００１５
【補正方法】変更
【補正の内容】
【００１５】
（６）また、本発明の一態様による基地局装置は、上記の基地局装置であって、前記データ信号は、ＰＤＳＣＨで送信されることを特徴とする。
【手続補正８】
【補正対象書類名】明細書
【補正対象項目名】００１６
【補正方法】変更
【補正の内容】
【００１６】
（７）また、本発明の一態様による基地局装置は、上記の基地局装置であって、前記データ信号が、Ｘ−ＰＤＣＣＨで送信され、前記Ｘ−ＰＤＣＣＨの時間方向の領域が、前記ＲＲＣシグナリングを通じて前記基地局から前記端末に通知されるＯＦＤＭシンボルのスタート位置により設定できることを特徴とする。
【手続補正９】
【補正対象書類名】明細書
【補正対象項目名】００１７
【補正方法】変更
【補正の内容】
【００１７】
（８）また、本発明の一態様による端末は、基地局と通信する端末であって、前記基地局から送信される前記端末に対するデータ信号を復調するための参照信号を、前記基地局から受信する受信部を備え、前記参照信号で用いられる疑似ランダム系列が、前記端末に固有の情報としてＲＲＣシグナリングを通じて前記基地局から前記端末に通知される値に基づいて設定されるパラメータを少なくとも用いて生成されることを特徴とする。
【手続補正１０】
【補正対象書類名】明細書
【補正対象項目名】００１８
【補正方法】変更
【補正の内容】
【００１８】
（９）また、本発明の一態様による通信システムは、端末と基地局とが通信する通信システムであって、前記基地局が、前記端末に対するデータ信号を復調するための参照信号を、前記端末に送信する送信部を備え、前記端末が、前記参照信号を、前記基地局から受信する受信部を備え、前記参照信号で用いられる疑似ランダム系列が、前記端末に固有の情報としてＲＲＣシグナリングを通じて前記基地局から前記端末に通知される値に基づいて設定されるパラメータを少なくとも用いて生成されることを特徴とする。
【手続補正１１】
【補正対象書類名】明細書
【補正対象項目名】００１９
【補正方法】変更
【補正の内容】
【００１９】
（１０）また、本発明の一態様による通信方法は、端末と通信する基地局の通信方法であって、前記端末に対するデータ信号を復調するための参照信号を、前記端末に送信するステップを有し、前記参照信号で用いられる疑似ランダム系列が、前記端末に固有の情報としてＲＲＣシグナリングを通じて前記基地局から前記端末に通知される値に基づいて設定されるパラメータを少なくとも用いて生成されることを特徴とする。
【手続補正１２】
【補正対象書類名】明細書
【補正対象項目名】００２０
【補正方法】変更
【補正の内容】
【００２０】
（１１）また、本発明の一態様による通信方法は、基地局と通信する端末の通信方法であって、前記端末に対するデータ信号を復調するための参照信号を、前記基地局から受信するステップを有し、前記参照信号で用いられる疑似ランダム系列が、前記端末に固有の情報としてＲＲＣシグナリングを通じて前記基地局から前記端末に通知される値に基づいて設定されるパラメータを少なくとも用いて生成されることを特徴とする。
【手続補正１３】
【補正対象書類名】明細書
【補正対象項目名】００２１
【補正方法】変更
【補正の内容】
【００２１】
（１２）また、本発明の一態様による集積回路は、端末と通信する基地局に用いられる集積回路であって、前記端末に対するデータ信号を復調するための参照信号を、前記端末に送信する機能を実現し、前記参照信号で用いられる疑似ランダム系列が、前記端末に固有の情報としてＲＲＣシグナリングを通じて前記基地局から前記端末に通知される値に基づいて設定されるパラメータを少なくとも用いて生成されることを特徴とする。
【手続補正１４】
【補正対象書類名】明細書
【補正対象項目名】００２２
【補正方法】変更
【補正の内容】
【００２２】
（１３）また、本発明の一態様による集積回路は、基地局と通信する端末に用いられる集積回路であって、前記端末に対するデータ信号を復調するための参照信号を、前記基地局から受信する機能を実現し、前記参照信号で用いられる疑似ランダム系列が、前記端末に固有の情報としてＲＲＣシグナリングを通じて前記基地局から前記端末に通知される値に基づいて設定されるパラメータを少なくとも用いて生成されることを特徴とする。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】